(57)【特許請求の範囲】
【請求項１】
表示画面を複数の分割領域に分割し、入力された映像信号に基づいて前記分割領域ごとの平均輝度を算出する平均輝度算出部と、
前記分割領域ごとの平均輝度に基づいて補正中心位置を設定する補正中心設定部と、
前記補正中心位置を基点として、前記表示画面の表示位置に応じた補正値を設定する補正値設定部と、
前記補正値に基づいて前記映像信号のゲインを調整するゲイン調整部と、を備え、
前記補正中心位置が１フレームの遷移で急激に変化した場合、前記変化前の補正中心位置と前記変化後の補正中心位置の間に中間補正中心位置を設け、１フレームごとに前記中間補正中心位置を順次、補正中心位置とする、
ことを特徴とする、映像信号処理装置。
【請求項２】
前記補正値設定部は、前記補正中心位置を基点とし、前記表示画面の画面端部へ向かって映像信号のゲインを減衰させる補正値を設定することを特徴とする、請求項１に記載の映像信号処理装置。
【請求項３】
前記補正値設定部は、前記補正中心位置の予め規定された基準位置に対するずれ量に応じて、映像信号のゲインの減衰率を変更することを特徴とする、請求項２に記載の映像信号処理装置。
【請求項４】
前記補正値設定部は、前記補正中心設定部が設定した前記補正中心位置が第１補正中心位置から第２補正中心位置へと変化した場合には、前記第１補正中心位置に対応する補正値から前記第２補正中心位置に対応する補正値へと段階的に補正値を変化させることを特徴とする、請求項１ないし３に記載の映像信号処理装置。
【請求項５】
前記補正中心設定部は、前記分割領域ごとの平均輝度が最大の分割領域の中心点を前記補正中心位置に設定することを特徴とする、請求項１ないし４に記載の映像信号処理装置。
【請求項６】
前記補正中心設定部は、前記分割領域ごとの平均輝度が最大となる分割領域が複数ある場合には、予め設定された予設定位置を前記補正中心位置とすることを特徴とする、請求項１ないし４に記載の映像信号処理装置。
【請求項７】
表示画面を複数の分割領域に分割し、入力された映像信号に基づいて前記分割領域ごとの平均輝度を算出するステップと、
前記分割領域ごとの平均輝度に基づいて補正中心位置を設定するステップと、
前記補正中心位置を基点として、前記表示画面の表示位置に応じた補正値を設定するステップと、
前記補正値に基づいて前記映像信号のゲインを調整するステップと、
前記補正中心位置が１フレームの遷移で急激に変化した場合、前記変化前の補正中心位置と前記変化後の補正中心位置の間に中間補正中心位置を設け、１フレームごとに前記中間補正中心位置を順次、補正中心位置とするステップと、
を有することを特徴とする、映像信号処理方法。
【請求項８】
表示画面を複数の分割領域に分割し、入力された映像信号に基づいて前記分割領域ごとの平均輝度を算出するステップと、
前記分割領域ごとの平均輝度に基づいて補正中心位置を設定するステップと、
前記補正中心位置を基点として、前記表示画面の表示位置に応じた補正値を設定するステップと、
前記補正値に基づいて前記映像信号のゲインを調整するステップと、
前記補正中心位置が１フレームの遷移で急激に変化した場合、前記変化前の補正中心位置と前記変化後の補正中心位置の間に中間補正中心位置を設け、１フレームごとに前記中間補正中心位置を順次、補正中心位置とするステップと、
をコンピュータに実行させるためのプログラム。
【請求項９】
自発光型の表示装置であって、
入力された映像信号を補正する映像信号補正部と、
前記映像信号補正部が補正した映像信号に基づいて映像を表示画面に表示する映像表示部と、
を備え、
前記映像信号補正部は、
前記表示画面を複数の分割領域に分割し、入力された映像信号に基づいて前記分割領域ごとの平均輝度を算出する平均輝度算出部と、
前記分割領域ごとの平均輝度に基づいて、補正中心位置を設定する補正中心設定部と、
前記補正中心位置を基点として、前記表示画面の表示位置に応じた補正値を設定する補正値設定部と、
前記補正値に基づいて前記映像信号のゲインを調整するゲイン調整部と、
を備え、
前記補正中心位置が１フレームの遷移で急激に変化した場合、前記変化前の補正中心位置と前記変化後の補正中心位置の間に中間補正中心位置を設け、１フレームごとに前記中間補正中心位置を順次、補正中心位置とする、
ことを特徴とする、表示装置。
【発明の詳細な説明】
【技術分野】
【０００１】
本発明は、映像信号処理装置、映像信号処理方法、プログラム、および表示装置に関する。
【背景技術】
【０００２】
近年、ＣＲＴディスプレイ（Cathode  Ray  Tube  display）に替わる表示装置として、ＯＬＥＤディスプレイ（Organic  Light  Emitting  Diode  display；または、有機ＥＬディスプレイ（organic  ElectroLuminescence  display）とも呼ばれる。）、ＦＥＤ（Field  Emission  Display；電界放出ディスプレイ）、ＰＤＰ（Plasma  Display  Panel；プラズマディスプレイ）など様々な自発光型の表示装置が開発されている。
【０００３】
上記のような様々な表示装置の開発では、少ない消費電力で高画質化を図ることが技術的な目標となっている。このような中、消費電力を低減させながら高画質化を図る技術が開発されている。映像を画面に表示する場合において、常に画面の物理的な中心点を基点とし、画面端部へ向かって輝度を下げることにより消費電力を低減させる技術としては、例えば、特許文献１が挙げられる。
【０００４】
【特許文献１】特許第３１１５７２７号公報
【発明の開示】
【発明が解決しようとする課題】
【０００５】
しかしながら、画面の物理的な中心点を基点として画面端部へ向かって輝度を下げる技術を用いた従来の表示装置は、入力される映像信号が示す映像（または画像）がどのような映像であったとしても、常に画面の物理的な中心点を基点として画面端部へ向かって輝度が下がるように映像信号の処理を行う。したがって、従来の表示装置では、入力される映像信号がどのような映像を示しているかについての考慮がなされておらず、入力される映像信号が示す映像（すなわち、実際に表示される映像）によっては、消費電力の低減と共に画質の低下が生じる場合がある。以下、図１を参照して従来の表示装置における問題を示す。
【０００６】
（従来の表示装置における問題）
図１は、従来の表示装置における問題を説明するための説明図である。従来の表示装置は、表示される映像のうち重要な情報は画面の中央部に存在するという前提の下、当該中央部の輝度は下げずに画面端部へ向かって輝度を下げることによって消費電力の低減と高画質化を図っている。
【０００７】
しかしながら、図１（ａ）に示すように、従来の表示装置に表示される映像は、画面の中央部に重要な情報（例えば、人物など）が存在するとは限らない。ここで、従来の表示装置は、図１（ａ）に示すような人物（重要な情報）が画面の向かって右端に示される映像を表示するための映像信号が入力された場合であっても、常に画面の物理的な中心点を基点として画面端部へ向かって輝度が下がるように映像信号の処理を行う。つまり、従来の表示装置は、図１（ｂ）に示すように、重要な情報（例えば、人物など）が表示される部分の輝度が下がった映像を表示してしまう。したがって、従来の表示装置では、輝度の制御による消費電力の低減と共に画質の低下を招く場合があり、高画質化は望むべくもない。
【０００８】
本発明は、上記問題に鑑みてなされたものであり、本発明の目的とするところは、入力される映像信号に基づいて輝度を制御して消費電力の低減と高画質化が可能な、新規かつ改良された映像信号処理装置、映像信号処理方法、プログラム、および表示装置を提供することにある。
【課題を解決するための手段】
【０００９】
上記目的を達成するために、本発明の第１の観点によれば、表示画面を複数の分割領域に分割し、入力された映像信号に基づいて上記分割領域ごとの平均輝度を算出する平均輝度算出部と、上記分割領域ごとの平均輝度に基づいて補正中心位置を設定する補正中心設定部と、上記補正中心位置を基点として、上記表示画面の表示位置に応じた補正値を設定する補正値設定部と、上記補正値に基づいて上記映像信号のゲインを調整するゲイン調整部とを備え、
上記補正中心位置が１フレームの遷移で急激に変化した場合、上記変化前の補正中心位置と上記変化後の補正中心位置の間に中間補正中心位置を設け、１フレームごとに上記中間補正中心位置を順次、補正中心位置とする、
映像信号処理装置が提供される。
【００１０】
上記映像信号処理装置は、平均輝度算出部と、補正中心設定部と、補正値設定部と、ゲイン調整部とを備えることができる。平均輝度算出部は、入力される映像信号が示す映像（または、画像。以下、映像信号は、対応する映像または画像を示すことができるものとして説明する。）を表示する表示画面を複数の分割領域に区切り、入力された映像信号に基づいて分割領域ごとの平均輝度を算出することができる。補正中心設定部は、分割領域ごとの平均輝度に基づいて補正中心位置を設定することができる。補正値設定部は、補正中心設定部において設定された補正中心位置を基点として表示画面の表示位置に応じた補正値を設定することができる。ここで、補正値設定部は、例えば、補正中心位置を中心として表示画面の周辺へ向けてゲインを減衰させるための補正値を設定することができる。ゲイン調整部は、補正値設定部が設定した表示画面の表示位置に応じた補正値に基づいて、入力される映像信号のゲインを調整することができる。かかる構成により、映像信号処理装置は、表示画面に表示した場合に消費電力を抑えながら高画質化を図ることができるように、映像信号の輝度を制御することができる。
【００１１】
また、上記補正値設定部は、上記補正中心位置を基点とし、上記表示画面の画面端部へ向かって映像信号のゲインを減衰させる補正値を設定してもよい。
【００１２】
かかる構成により、表示画面に表示した場合に消費電力を抑えながら高画質化を図ることができるように、映像信号の輝度を制御することができる。
【００１３】
また、上記補正値設定部は、上記補正中心位置の予め規定された基準位置に対するずれ量に応じて、映像信号のゲインの減衰率を変更してもよい。
【００１４】
かかる構成により、さらなる高画質化を図ることができる。
【００１５】
また、上記補正値設定部は、上記補正中心設定部が設定した上記補正中心位置が第１補正中心位置から第２補正中心位置へと変化した場合には、上記第１補正中心位置に対応する補正値から上記第２補正中心位置に対応する補正値へと段階的に補正値を変化させてもよい。
【００１６】
かかる構成により、さらなる高画質化を図ることができる。
【００１７】
また、上記補正中心設定部は、上記分割領域ごとの平均輝度が最大の分割領域の中心点を上記補正中心位置に設定してもよい。
【００１８】
かかる構成により、表示画面に表示した場合に消費電力を抑えながら高画質化を図ることができるように、映像信号の輝度を制御することができる。
【００１９】
また、上記補正中心設定部は、上記分割領域ごとの平均輝度が最大となる分割領域が複数ある場合には、予め設定された予設定位置を上記補正中心位置としてもよい。
【００２０】
かかる構成により、表示画面に表示した場合に消費電力を抑えながら高画質化を図ることができるように、映像信号の輝度を制御することができる。
【００２１】
また、上記目的を達成するために、本発明の第２の観点によれば、表示画面を複数の分割領域に分割し、入力された映像信号に基づいて上記分割領域ごとの平均輝度を算出するステップと、上記分割領域ごとの平均輝度に基づいて補正中心位置を設定するステップと、上記補正中心位置を基点として、上記表示画面の表示位置に応じた補正値を設定するステップと、上記補正値に基づいて上記映像信号のゲインを調整するステップと、
上記補正中心位置が１フレームの遷移で急激に変化した場合、上記変化前の補正中心位置と上記変化後の補正中心位置の間に中間補正中心位置を設け、１フレームごとに上記中間補正中心位置を順次、補正中心位置とするステップ
とを有する映像信号処理方法が提供される。
【００２２】
かかる方法を用いることにより、表示画面に表示した場合に消費電力を抑えながら高画質化を図ることができるように、映像信号の輝度を制御することができる。
【００２３】
また、上記目的を達成するために、本発明の第３の観点によれば、表示画面を複数の分割領域に分割し、入力された映像信号に基づいて上記分割領域ごとの平均輝度を算出するステップ、上記分割領域ごとの平均輝度に基づいて補正中心位置を設定するステップ、上記補正中心位置を基点として、上記表示画面の表示位置に応じた補正値を設定するステップ、上記補正値に基づいて上記映像信号のゲインを調整するステップ、  上記補正中心位置が１フレームの遷移で急激に変化した場合、上記変化前の補正中心位置と上記変化後の補正中心位置の間に中間補正中心位置を設け、１フレームごとに上記中間補正中心位置を順次、補正中心位置とするステップと、
をコンピュータに実行させるためのプログラムが提供される。
【００２４】
かかるプログラムにより、表示画面に表示した場合に消費電力を抑えながら高画質化を図ることができるように、映像信号の輝度を制御することができる。
【００２５】
また、上記目的を達成するために、本発明の第４の観点によれば、自発光型の表示装置であって、入力された映像信号を補正する映像信号補正部と、上記映像信号補正部が補正した映像信号に基づいて映像を表示画面に表示する映像表示部とを備え、上記映像信号補正部は、上記表示画面を複数の分割領域に分割し、入力された映像信号に基づいて上記分割領域ごとの平均輝度を算出する平均輝度算出部と、上記分割領域ごとの平均輝度に基づいて補正中心位置を設定する補正中心設定部と、上記補正中心位置を基点として、上記表示画面の表示位置に応じた補正値を設定する補正値設定部と、上記補正値に基づいて上記映像信号のゲインを調整するゲイン調整部とを備え、
上記補正中心位置が１フレームの遷移で急激に変化した場合、上記変化前の補正中心位置と上記変化後の補正中心位置の間に中間補正中心位置を設け、１フレームごとに上記中間補正中心位置を順次、補正中心位置とする
表示装置が提供される。
【００２６】
上記表示装置は、映像信号補正部と、映像表示部とを備えることができる。映像信号補正部は、平均輝度算出部と、補正中心設定部と、補正値設定部と、ゲイン調整部とを備えることができ、入力される映像信号に基づいて補正中心位置を設定し、当該補正中心位置を基点として表示画面の表示位置に応じて映像信号のゲインを補正することができる。ここで、映像信号補正部は、例えば、補正中心位置を中心として表示画面の周辺へ向けてゲインを減衰させるための補正値を設定することができる。映像表示部は、映像信号補正部が補正した映像信号に基づいて映像を表示画面に表示することができる。ここで、映像表示部は、例えば、マトリクス状に配置された画素を有し、映像信号に応じて印加される電圧／電流によって各画素が自発光することにより、映像を表示画面に表示することができる。かかる構成により、表示装置は、入力される映像信号に基づいて輝度を制御して消費電力の低減と高画質化を図ることができる。
【発明の効果】
【００２７】
本発明によれば、入力される映像信号に基づいて輝度を制御して消費電力の低減と高画質化を図ることができる。
【発明を実施するための最良の形態】
【００２８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２９】
（本発明の実施形態に係る映像信号処理装置における処理の概要）
まず、本発明の実施形態に係る映像信号処理装置における処理の概要について説明する。図２は、本発明の実施形態に係る映像信号処理装置における処理の概要を説明するための説明図である。なお、以下に示す処理の概要は、本発明の実施形態に係る映像信号処理装置だけでなく、本発明の実施形態に係る表示装置にも当てはまるものである。
【００３０】
本発明の実施形態に係る映像信号処理装置は、図１（ｂ）に示すような問題の発生を抑制するために、入力される映像信号に基づいて映像信号を補正する基点（以下、「補正中心位置」という。）を適宜設定し、設定された補正中心位置を中心として表示画面端部へ向かって連続的に映像信号のゲインを減衰させる。ここで、本発明の実施形態に係る「連続的」は、離散値が集まることによる擬似的な連続を含むことができる。
【００３１】
より具体的に説明すると、本発明の実施形態に係る映像信号処理装置は、以下の（Ｉ）〜（ＩＩＩ）に示すように映像信号の処理を行うことができる。
【００３２】
（Ｉ）補正中心位置の選択処理１
図２（ａ）に示すように、入力される映像信号が示す画像を表示する表示画面を複数の分割領域に区切り、入力される映像信号に基づいて当該分割領域ごとに映像信号の平均輝度を算出する。
【００３３】
なお、図２（ａ）では、Ａ１〜Ａ２４の２４領域に区切った例を示しているが、本発明の実施形態に係る分割領域数が２４領域に限られないことは、言うまでもない。また、本発明の実施形態に係る分割領域数は、例えば、予め規定された数であってもよいし、または、映像信号処理装置を使用するユーザからのユーザ入力や入力される映像信号の解像度などに応じて適宜設定されてもよい。
【００３４】
（ＩＩ）補正中心位置の選択処理２
分割領域ごとに算出された平均輝度のうち、最も平均輝度が高い分割領域の中心位置を映像信号の補正中心位置として設定する（原則処理）。なお、例えば、最も平均輝度が高い分割領域が複数存在する場合には、予設定された予設定位置を映像信号の補正中心位置として設定してもよい（例外処理）。
【００３５】
（ＩＩＩ）映像信号の補正処理
図２（ｂ）に示すように、設定された補正中心位置を中心として表示画面端部へ向かって連続的に映像信号のゲインを減衰させ、輝度を調整する。ここで、図２（ｂ）では、補正中心位置として分割領域Ａ８が設定された例を示している。
【００３６】
本発明の実施形態に係る映像信号処理装置は、図２および上記（Ｉ）〜（ＩＩＩ）に示すような処理を行うことにより輝度を制御し、映像信号に対応する画像を表示する場合における消費電力の低減を図ることができる。また、本発明の実施形態に係る映像信号処理装置は、補正中心位置を平均輝度が高い位置（すなわち、重要な情報が存在する可能性が高い領域の中心位置）に設定することができるので、図１（ｂ）に示すような問題の発生を抑制することができる。
【００３７】
また、本発明の実施形態に係る表示装置は、本発明の実施形態に係る映像信号処理装置と同様に輝度を制御した映像信号に対応する画像、映像を表示することができる。よって、本発明の実施形態に係る表示装置は、本発明の実施形態に係る映像信号処理装置と同様に、図１（ｂ）に示すような問題の発生を抑制することができる。したがって、本発明の実施形態に係る表示装置は、入力される映像信号に基づいて輝度を制御して消費電力の低減と高画質化を図ることができる。
【００３８】
以下、本発明の実施形態に係る映像信号処理装置および表示装置の構成について、より詳細に説明する。
【００３９】
（実施形態に係る映像信号処理装置）
図３は、本発明の実施形態に係る映像信号処理装置１００の一例を示すブロック図である。ここで、図３では一の映像信号を示しているが、本発明の実施形態はかかる構成に限られず、例えば、入力される映像信号がＲ、Ｇ、Ｂ各色ごとに独立の信号であってもよい。
【００４０】
また、以下では、映像信号処理装置１００に入力される映像信号は、例えば、デジタル放送などで用いられるデジタル信号であるとして説明するが、上記に限られず、例えば、アナログ放送などで用いられるアナログ信号とすることもできる。なお、本発明の実施形態に係る映像信号処理装置１００に入力される映像信号は、例えば、放送局から送信され映像信号処理装置１００が受信したものとすることができるが、上記に限られない。例えば、本発明の実施形態に係る映像信号処理装置１００に入力される映像信号は、ＬＡＮ（Local  Area  Network）などのネットワークを介して外部装置から送信され映像信号処理装置１００が受信したものであってもよいし、または、映像信号処理装置１００が備える記憶部に保持された映像ファイルや画像ファイルを映像信号処理装置１００が読み出したものであってもよい。
【００４１】
図３を参照すると、映像信号処理装置１００は、平均輝度算出部１０２と、補正中心設定部１０４と、補正値設定部１０６と、ゲイン調整部１０８とを備えることができる。
【００４２】
また、映像信号処理装置１００は、例えば、ＭＰＵ（Micro  Processing  Unit）などで構成され映像信号処理装置１００全体を制御することが可能な制御部（図示せず）や、制御部が使用するプログラムや演算パラメータなどの制御用データが記録されたＲＯＭ（Read  Only  Memory；図示せず）、制御部により実行されるプログラムなどを一次記憶するＲＡＭ（Random  Access  Memory；図示せず）、平均輝度算出部１０２における平均輝度の算出や補正値設定部１０６における補正値の設定に用いられるデータなどを記憶可能な記憶部（図示せず）、放送局などから送信される映像信号を受信する受信部（図示せず）、ユーザが操作可能な操作部（図示せず）などを備えてもよい。映像信号処理装置１００は、例えば、データの伝送路としてのバス（bus）により上記各構成要素間を接続することができる。ここで、記憶部（図示せず）としては、例えば、ハードディスク（Hard  Disk）などの磁気記録媒体や、フラッシュメモリ（flash  memory）などの不揮発性メモリ（nonvolatile  memory）、光磁気ディスク（Magneto  Optical  Disk）などが挙げられるが、上記に限られない。また、操作部（図示せず）としては、例えば、キーボード（keyboard）やマウス（mouse）などの操作入力デバイスや、ボタン、方向キー、あるいは、これらの組み合わせなどが挙げられるが、上記に限られない。
【００４３】
平均輝度算出部１０２は、入力される映像信号に基づいて所定期間における輝度の平均値を算出する。平均輝度算出部１０２が平均輝度を算出する所定期間としては、例えば、１フレーム期間が挙げられるが、上記に限られず、例えば、後述するゲイン調整部１０８において映像信号のゲインを調整する周期と合わせた期間とすることもできる。以下では、平均輝度算出部１０２が平均輝度を算出する所定期間を１フレーム期間として説明する。
【００４４】
また、平均輝度算出部１０２は、図２（ａ）に示すように、入力される映像信号が示す画像を表示する表示画面を複数の分割領域に区切り、入力される映像信号に基づいて当該分割領域ごとに映像信号の平均輝度を算出することができる。平均輝度算出部１０２が平均輝度を算出するために用いる分割領域の数やサイズなどの情報は、例えば、平均輝度算出部１０２が記憶手段を備え、当該記憶手段に保持されてもよい。ここで、平均輝度算出部１０２が備える記憶手段としては、例えば、ＥＥＰＲＯＭ（Electronically  Erasable  and  Programmable  Read  Only  Memory）、フラッシュメモリ、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリが挙げられるが、上記に限られない。なお、平均輝度算出部１０２が平均輝度を算出するために用いる分割領域の数やサイズなどの情報は、例えば、映像信号処理装置１００の記憶部（図示せず）に記憶され、平均輝度算出部１０２が当該記憶部（図示せず）から適宜読み出してもよいことは、言うまでもない。
【００４５】
平均輝度算出部１０２が算出する所定期間における平均輝度の算出方法としては、例えば、相加平均を用いることが挙げられるが、上記に限られず、例えば、相乗平均や加重平均を用いて算出することもできる。
【００４６】
補正中心設定部１０４は、平均輝度算出部１０２が分割領域ごとに算出した平均輝度に基づいて補正中心位置を設定する。ここで、補正中心設定部１０４は、例えば、以下の（Ａ）、（Ｂ）に従って補正中心位置を設定することができる。
【００４７】
（Ａ）原則処理
平均輝度算出部１０２が算出した分割領域それぞれの平均輝度を比較し、平均輝度が最も高い分割領域の中心位置を補正中心位置として設定する。
【００４８】
補正中心設定部１０４は、例えば、一の分割領域を選択候補領域として仮選択し、当該一の分割領域の平均輝度と他の分割領域の平均輝度とを比較して平均輝度が高い分割領域を新たな選択候補領域とする。上記比較を繰り返すことにより、補正中心設定部１０４は平均輝度が最も高い分割領域を特定することができる。また、一の分割領域の平均輝度と他の分割領域の平均輝度とが等しい場合には、例えば、当該平均輝度の値を有する分割領域が複数存在することを示すフラグを立てることができる（当然、平均輝度の値が更新された場合にはフラグは解除されることとなる。）。ここで、補正中心設定部１０４が比較する分割領域や分割領域それぞれの平均輝度の値、上記フラグなどの各種情報は、例えば、補正中心設定部１０４が記憶手段を備え、当該記憶手段に保持されてもよい。補正中心設定部１０４が備える記憶手段としては、例えば、ＳＤＲＡＭ（Synchronous  Dynamic  Random  Access  Memory）やＳＲＡＭ（Static  Random  Access  Memory）などの揮発性メモリ（volatile  memory）が挙げられるが、上記に限られず、例えば、フラッシュメモリなどの不揮発性メモリであってもよい。なお、補正中心設定部１０４における平均輝度の比較方法が、上記に限られないことは、言うまでもない。
【００４９】
（Ｂ）例外処理：平均輝度が最も高い分割領域が複数ある場合
上記（Ａ）に示す原則処理が行われた結果、平均輝度が最も高い分割領域が複数存在する場合には、予め設定された予設定位置を補正中心位置として設定する。
【００５０】
ここで、上記予設定位置としては、例えば、映像信号に対応する画像を表示する表示画面のメカセンタの位置（すなわち、表示画面の物理的な中心点の位置）が挙げられるが、上記に限られない。また、上記予設定位置は、例えば、固定の位置とすることができるが、上記に限られない。例えば、上記予設定位置は、映像信号処理装置１００の操作部（図示せず）からのユーザ入力に応じて適宜変更可能としてもよい。
【００５１】
補正値設定部１０６は、補正中心設定部１０４が設定した補正中心位置に基づいて、映像信号を補正するための補正値を、映像信号に対応する画像を表示する表示画面の表示位置に応じて設定する。以下、補正値設定部１０６における補正値の設定方法について、説明する。
【００５２】
[第１の補正値設定方法]
図４は、本発明の実施形態に係る補正値設定部１０６における第１の補正値設定方法を説明するための説明図である。ここで、図４（ａ）は、映像信号に対応する画像を表示する表示画面を示しており、また、図４（ｂ）は、図４（ａ）に示す表示画面の表示位置（Ｐｏｓｉｔｉｏｎ）と映像信号の補正後の目標ゲイン（Ｇａｉｎ）との関係を示している。また、図４において各表示位置における目標ゲイン（Ｇａｉｎ）は、補正値設定部１０６が設定する補正値にそれぞれ対応する。
【００５３】
図４（ａ）を参照すると、補正中心位置Ｃ１として分割領域Ａ８の中心位置が設定されている。このとき、補正値設定部１０６は、図４（ｂ）に示すように、補正中心位置Ｃ１を基点として、表示画面の端部へ向かってゲインを減衰させるような補正値を設定する。なお、図４（ｂ）では、表示位置（Ｐｏｓｉｔｉｏｎ）の一例として水平方向を示しているが、垂直方向についても同様に補正中心位置を基点として表示画面の端部へ向かってゲインを減衰させることができる。したがって、補正値設定部１０６は、補正中心位置を基点として周辺へ向けてゲインを減衰させるための補正値を設定することができる。
【００５４】
第１の補正値設定方法を用いる補正値設定部１０６は、図４（ｂ）に示すように、補正中心位置Ｃ１から表示画面端までの距離（ｄ１、ｄ２）と、ゲインの下げ幅ｇ１を用いて表示画面の表示位置（Ｐｏｓｉｔｉｏｎ）に応じた補正値を設定することができる。
【００５５】
また、ゲインの下げ幅ｇ１は、予め設定されたゲインの上限値および下限値により規定することができる。例えば、図４（ｂ）では、上限値として“１．０”が設定されており、補正中心位置Ｃ１では、映像信号のゲインは変化しない。また、図４（ｂ）では、下限値として“０．８”が設定されている例を示している。なお、本発明の実施形態に係る上限値および下限値が上記に限られないことは、言うまでもない。また、上記ゲインの上限値および下限値の値は、固定の値とすることができるが、上記に限られず、例えば、映像信号処理装置１００の操作部（図示せず）からのユーザ入力に応じて適宜変更可能としてもよい。
【００５６】
補正値設定部１０６が補正値を設定するために用いる上限値や下限値などの情報は、例えば、補正値設定部１０６が記憶手段を備え、当該記憶手段に保持することができる。ここで、補正値設定部１０６が備える記憶手段としては、例えば、ＥＥＰＲＯＭやフラッシュメモリなどの不揮発性メモリが挙げられるが、上記に限られない。なお、補正値設定部１０６が補正値を設定するために用いる上限値や下限値などの情報などの情報は、例えば、映像信号処理装置１００の記憶部（図示せず）に記憶され、補正値設定部１０６が当該記憶部（図示せず）から適宜読み出してもよいことは、言うまでもない。
【００５７】
したがって、補正値設定部１０６は、第１の補正値設定方法を用いることにより、補正中心位置を基点とし、表示画面の画面端部へ向かって映像信号のゲインを減衰させる補正値を設定することができる。
【００５８】
[第２の補正値設定方法]
図４に示す第１の補正値設定方法では、表示画面端に対応する映像信号のゲインを補正中心位置によらずゲインの下限値まで減衰させる補正値を設定する方法を示した。しかしながら、本発明の実施形態に係る補正値設定方法は、図４に示す第１の補正値設定方法に限らない。そこで、次に、第２の補正値設定方法として、補正中心位置に応じてゲインの下限値を変動させる方法について説明する。
【００５９】
図５は、本発明の実施形態に係る補正値設定部１０６における第２の補正値設定方法を説明するための説明図である。ここで、図５（ａ）は、図４（ａ）と同様に、映像信号に対応する画像を表示する表示画面を示している。また、図５（ｂ）は、図４（ｂ）と同様に、図５（ａ）に示す表示画面の表示位置（Ｐｏｓｉｔｉｏｎ）と映像信号の補正後の目標ゲイン（Ｇａｉｎ）との関係を示している。
【００６０】
図５（ａ）を参照すると、補正中心位置Ｃ１として分割領域Ａ８の中心位置が設定されている。このとき、補正値設定部１０６は、第１の補正値設定方法と同様に、補正中心位置Ｃ１を基点として、表示画面の端部へ向かってゲインを減衰させるような補正値を設定する。
【００６１】
ここで、図５（ｂ）を参照すると、表示画面端Ｌｅｆｔに対応する映像信号のゲインの下限値Ｌと、表示画面端Ｒｉｇｈｔに対応する映像信号のゲインの下限値０．８とで異なっていることが分かる。これは、表示画面端Ｌｅｆｔと表示画面端Ｒｉｇｈｔとで映像信号のゲインの下限値を同一とした場合、補正中心位置の位置によっては、一方の表示画面端の輝度が極端に下がってしまうことがある（すなわち、ゲインの減衰率が大きくなる）からである。
【００６２】
したがって、第１の補正値設定方法を用いる補正値設定部１０６は、補正中心位置の予め規定された基準位置に対する「ずれ量」に応じて映像信号のゲインの下限値を適宜設定することにより、映像信号のゲインの減衰率を変更する。
【００６３】
ここで、「ずれ量」は、例えば、表示画面の中心位置（図５（ｂ）のＣｅｎｔｅｒ）を基準位置として決定することができる。例えば、図５（ｂ）では、ずれ量は、ｚで表されている。なお、本発明の実施形態に係るずれ量は、図５（ｂ）のずれ量ｚのように表示画面の一方向（例えば、表示画面の水平方向）に応じた距離に対応する値とすることができるが、上記に限られず、例えば、基準位置（例えば、メカセンタ）と補正中心位置との間のユークリッド距離であってもよい。
【００６４】
補正値設定部１０６は、例えば、ずれ量ｚとゲインの下限値Ｌとが対応付けられたルックアップテーブル（Look  Up  Table）を用いて、決定されたずれ量ｚに応じたゲインの下限値Ｌを設定することができる。補正値設定部１０６が補正値を設定するために用いるルックアップテーブルなどの情報は、例えば、補正値設定部１０６が備える記憶手段に記憶することができるが、上記に限られず、映像信号処理装置１００の記憶部（図示せず）から適宜読み出されてもよい。なお、本発明の実施形態に係るゲインの下限値Ｌの設定手段は、上記に限られず、例えば、予め設定されたゲインの下限値にずれ量に応じた値を加算することによってゲインの下限値Ｌを設定することもできる。
【００６５】
第２の補正値設定方法を用いる補正値設定部１０６は、第１の補正値設定方法を用いる場合と同様に、補正中心位置Ｃ１から表示画面端までの距離（ｄ１、ｄ２）と、ゲインの下げ幅ｇ１、ゲインの下限値Ｌにより規定されるゲインの下げ幅ｇ２を用いて表示画面の表示位置（Ｐｏｓｉｔｉｏｎ）に応じた補正値を設定することができる。
【００６６】
したがって、補正値設定部１０６は、第２の補正値設定方法を用いることにより、補正中心位置を基点とし、表示画面の画面端部へ向かって映像信号のゲインを減衰させる補正値を設定することができる。
【００６７】
[第３の補正値設定方法]
補正中心設定部１０４は、平均輝度が最も高い分割領域が複数存在する場合には、予め設定された予設定位置を補正中心位置として設定することができる（例外処理）。そこで、次に、第３の補正値設定方法として、補正中心設定部１０４において例外処理が行われた場合における補正値の設定方法について説明する。
【００６８】
図６は、本発明の実施形態に係る補正値設定部１０６における第３の補正値設定方法を説明するための説明図である。ここで、図６（ａ）は、図４（ａ）と同様に、映像信号に対応する画像を表示する表示画面を示している。また、図６（ｂ）は、図４（ｂ）と同様に、図６（ａ）に示す表示画面の表示位置（Ｐｏｓｉｔｉｏｎ）と映像信号の補正後の目標ゲイン（Ｇａｉｎ）との関係を示している。
【００６９】
図６（ａ）は、平均輝度が最も高い分割領域がＡ８とＡ１８であった場合を示しており、映像信号を補正する基点として補正中心位置Ｃ０（予設定位置）が表示画面のメカセンタの位置（すなわち、表示画面の物理的な中心点の位置）に設定されている。このとき、補正値設定部１０６は、第１の補正値設定方法と同様に、補正中心位置Ｃ０を基点として、表示画面の端部へ向かってゲインを減衰させるような補正値を設定する。なお、本発明の実施形態に係る予設定位置は、図６に示す表示画面のメカセンタの位置に限られず、例えば、表示画面の任意の位置に設定することができる。また、本発明の実施形態に係る予設定位置は、例えば、予め規定された固定位置あってもよいし、または、映像信号処理装置を使用するユーザからのユーザ入力に応じて適宜設定（変更）されてもよい。
【００７０】
第３の補正値設定方法を用いる補正値設定部１０６は、図６（ｂ）に示すように、補正中心位置Ｃ０から表示画面端までの距離（ｄ０）と、ゲインの下げ幅ｇ１を用いて表示画面の表示位置（Ｐｏｓｉｔｉｏｎ）に応じた補正値を設定することができる。
【００７１】
したがって、補正値設定部１０６は、第３の補正値設定方法を用いることにより、補正中心位置を基点とし、表示画面の画面端部へ向かって映像信号のゲインを減衰させる補正値を設定することができる。
【００７２】
[第４の補正値設定方法]
本発明の実施形態に係る補正値設定部１０６は、上述した第１〜第３の補正値設定方法を用いることにより、１フレーム期間（所定期間）ごとの補正中心位置に応じた補正値を設定することができる。したがって、映像信号処理装置１００は、上述した第１〜第３の補正値設定方法を用いることによって、各フレームにおいて消費電力を低減させながら、各フレームに表示画面に表示される画像の画質の低下を抑えることができる。このように、補正値設定部１０６は、上述した第１〜第３の補正値設定方法を用いることにより各フレームごとの映像信号を補正するのに適した補正値を設定することができる。しかしながら、各フレーム単位で適した補正値を設定したとしても、複数のフレーム単位でみた場合に画質の面から予期せぬ問題が生じる場合がある。
【００７３】
〔第４の補正値設定方法が対象とする問題〕
図７は、本発明の実施形態に係る補正値設定部１０６における第４の補正値設定方法が対象とする問題を説明するための説明図である。図７（ａ）（ｂ）は、あるフレームにおける補正中心位置および補正値を示しており、また、図７（ｃ）（ｄ）は、図７（ａ）（ｂ）に示すフレームの次フレームにおける補正中心位置および補正値を示している。
【００７４】
例えば、図７に示すように、補正中心位置が分割領域Ａ８の補正中心位置Ｃ１（図７（ａ）；第１補正中心位置）から分割領域Ａ１１の補正中心位置Ｃ２（図７（ｃ）；第２補正中心位置）へと変化した場合、表示画面の表示位置に応じた補正値もまた、それぞれの補正中心位置に応じたものに設定される。しかしながら、図７（ｂ）と図７（ｄ）を比較すれば明らかなように、１フレームの遷移で表示画面の表示位置に応じた補正値が急激に変化してしまう場合がある。
【００７５】
図７に示すように１フレームの遷移で表示画面の表示位置に応じた補正値が急激に変化した場合には、輝度の変化が表示画面に露骨に表れてしまう。したがって、上記の場合には、たとえ各フレームごとに適した映像信号の補正が行われたとしても表示画面に表示される映像の画質の低下へと結びつく可能性がある。
【００７６】
そこで、次に、図７に示すような上記問題の発生を抑制することが可能な、第４の補正値設定方法について説明する。
【００７７】
〔第４の補正値設定方法の問題解決アプローチ〕
図８は、本発明の実施形態に係る補正値設定部１０６における第４の補正値設定方法を説明するための説明図である。
【００７８】
第４の補正値設定方法では、図７に示すような上記問題の発生を抑制するために、補正値を段階的に変化させる。例えば、図８は、図７（ａ）に示す補正中心位置Ｃ１（第１補正中心位置）から図７（ｃ）に示す補正中心位置Ｃ２（第２補正中心位置）へと４フレーム期間で段階的に変化させる例を示したものである。
【００７９】
第４の補正値設定方法を用いる補正値設定部１０６は、補正中心位置が補正中心位置Ｃ１から補正中心位置Ｃ２へと変化すると、例えば、Ｃ１−Ｃ２間の距離を４等分した中間補正中心位置（図８の「Ｃ１−１」〜「Ｃ１−３」）を決定する。補正値設定部１０６は、１フレーム目に中間補正中心位置Ｃ１−１を基点とした補正値を設定し（図８（ｂ））、２フレーム目に中間補正中心位置Ｃ１−２を基点とした補正値を設定する（図８（ｃ））。同様に、補正値設定部１０６は、３フレーム目に中間補正中心位置Ｃ１−３を基点とした補正値を設定し（図８（ｄ））、そして４フレーム目に目標とする補正中心位置である補正中心位置Ｃ２を基点とした補正値を設定する（図８（ｅ））。
【００８０】
したがって、第４の補正値設定方法を用いる補正値設定部１０６は、図７に示すように１フレームの遷移で急激に補正値が変化することを防止することができるので、図７に示すような上記問題の発生を抑制することができる。
【００８１】
また、図８では、補正中心位置Ｃ１から補正中心位置Ｃ２へと４フレーム期間で補正中心位置を段階的に変化させて補正値を設定する例を示したが、上記４フレーム期間内に目標とする補正中心位置が変化する（すなわち、補正中心設定部１０４が新たな補正中心位置を設定する）場合もある。上記の場合には、補正値設定部１０６は、例えば、現フレームにおける補正中心位置と補正中心設定部１０４が設定した新たな補正中心位置とから、新たな中間補正中心位置を決定して補正値の設定を行うことができる。
【００８２】
補正値設定部１０６が補正値を設定するために用いる現フレームにおける補正中心位置や、目標とする補正中心位置（補正中心設定部１０４が設定する補正中心位置）、中間補正中心位置などの情報は、例えば、補正値設定部１０６が記憶手段を備え、当該記憶手段に保持することができる。ここで、補正値設定部１０６が備える記憶手段としては、例えば、ＳＤＲＡＭやＳＲＡＭなどの揮発性メモリが挙げられるが、上記に限られず、例えば、フラッシュメモリなどの不揮発性メモリであってもよい。なお、補正値設定部１０６が、例えば、映像信号処理装置１００の記憶部（図示せず）に上記各種情報を記録し、記憶部（図示せず）から適宜上記各種情報を読み出してもよいことは、言うまでもない。
【００８３】
[第５の補正値設定方法]
補正値設定部１０６は、上述した第１〜第４の補正値設定方法を適宜組み合わせることによって、補正中心位置を基点とし、表示画面の画面端部へ向かって映像信号のゲインを減衰させる補正値を設定することができる。
【００８４】
上述した第１〜第５の補正値設定方法を用いることによって、補正値設定部１０６は、補正中心位置を基点とし、表示画面の画面端部へ向かって映像信号のゲインを減衰させる補正値を設定することができる。したがって、補正値設定部１０６は、表示画面の表示位置に応じた補正値を設定することができる。
【００８５】
再度図３を参照して映像信号処理装置１００について説明する。ゲイン調整部１０８は、補正値設定部１０６において設定された補正値を用いて入力される映像信号のゲインを調整する。より具体的には、ゲイン調整部１０８は、例えば、映像信号と補正値設定部１０６において設定された表示画面の表示位置に応じた補正値とを乗算することによって、映像信号のゲインを減衰させる。
【００８６】
また、ゲイン調整部１０８は、例えば、表示画面の表示位置と補正値とが対応付けられたルックアップテーブルを記憶し、当該ルックアップテーブルから表示画面の表示位置に応じた補正値を読み出すこともできる。ここで、ゲイン調整部１０８は、補正値設定部１０６から補正値が伝達されるごとに上記ルックアップテーブルの補正値の値を更新することができる。
【００８７】
ここで、ゲイン調整部１０８が映像信号のゲインの調整に用いるルックアップテーブルなどは、例えば、ゲイン調整部１０８が記憶手段を備え、当該記憶手段に保持することができる。ゲイン調整部１０８が備える記憶手段としては、例えば、ＥＥＰＲＯＭやフラッシュメモリなどの不揮発性メモリが挙げられるが、上記に限られない。なお、ゲイン調整部１０８が映像信号のゲインの調整に用いるルックアップテーブルなどは、例えば、映像信号処理装置１００の記憶部（図示せず）に記憶され、ゲイン調整部１０８が補正値の値を適宜更新させると共に、当該記憶部（図示せず）から適宜読み出してもよいことは、言うまでもない。
【００８８】
ゲイン調整部１０８は、ゲインを調整した映像信号を、例えば、映像を表示する表示画面を備える表示装置に出力することができる。なお、ゲイン調整部１０８がゲインを調整した映像信号を出力する出力先は、上記に限られない。例えば、ゲイン調整部１０８は、映像信号処理装置１００が備える記憶部（図示せず）にゲインを調整した映像信号を記憶させることもできるし、または、有線／無線ネットワークなどを介してＰＣ（Personal  Computer）などの外部のコンピュータに出力することもできる。
【００８９】
以上のように、本発明の実施形態に係る映像信号処理装置１００は、入力される映像信号に基づいて分割領域ごとの平均輝度を算出し、算出した分割領域ごとの平均輝度に基づいて平均輝度が最も高い分割領域の中心点を補正中心位置を設定する（原則処理）。映像信号処理装置１００は、設定した補正中心位置を基点として表示画面の画面端部へ向かって映像信号のゲインを減衰させる補正値を設定する。そして、映像信号処理装置１００は、設定された表示画面の表示位置に応じた補正値を、入力された映像信号に乗算することによって、映像信号のゲインを補正する（減衰させる）。映像信号処理装置１００は、平均輝度が最も高い分割領域（すなわち、重要な情報が存在する可能性が高い領域）の輝度を最も高く設定し、補正中心位置を基点として表示画面の画面端部へ向かって輝度が下がるように映像信号のゲインを補正することができるので、映像信号処理装置１００が補正した映像信号が示す映像（または画像）を表示画面に表示した場合には、図１（ｂ）に示すような従来の表示装置における問題の発生を防止することができる。したがって、映像信号処理装置１００は、表示画面に表示した場合に消費電力を抑えながら高画質化を図ることができるように、映像信号の輝度を制御することができる。
【００９０】
また、映像信号処理装置１００は、設定した補正中心位置の予め規定された基準位置に対するずれ量に応じて、映像信号のゲインの減衰率を適宜変更することができる。したがって、映像信号処理装置１００は、より高画質化が図れるように、映像信号の輝度を制御することができる。
【００９１】
さらに、映像信号処理装置１００は、表示画面に表示した場合における輝度の急激な変化による画質の低下を防止するために、段階的に補正値を変化させることもできる。したがって、映像信号処理装置１００は、より高画質化が図れるように、映像信号の輝度を制御することができる。
【００９２】
また、本発明の実施形態では、映像信号処理装置１００を挙げて説明したが、本発明の実施形態は、係る形態に限られず、例えば、ＰＤＰ、ＯＬＥＤディスプレイ、ＦＥＤなどの自発光型の表示装置や、ＰＣ、サーバ（Server）などのコンピュータ、携帯電話などの携帯型通信装置などに適用することができる。なお、表示装置への適用については、後述する。
【００９３】
（映像信号処理装置１００に係るプログラム）
本発明の実施形態に係る映像信号処理装置１００をコンピュータとして機能させるためのプログラムによって、入力される映像信号に基づいて消費電力の低減と高画質化が図れるように、映像信号の輝度を制御することができる。
【００９４】
（本発明の実施形態に係る映像信号処理方法）
次に、本発明の実施形態に係る映像信号処理方法について説明する。図９は、本発明の実施形態に係る映像信号処理方法の一例を示す流れ図である。なお、以下では、映像信号処理装置１００における映像信号処理方法について説明するが、本発明の実施形態に係る映像信号処理方法は、後述する本発明の実施形態に係る表示装置にも適用することができる。
【００９５】
映像信号が入力されると、映像信号処理装置１００は、分割領域ごとの平均輝度を算出する（Ｓ１００）。ここで、ステップＳ１００における分割領域ごとの平均輝度は、例えば、１フレーム期間における平均輝度とすることができるが、上記に限られない。また、ステップＳ１００における平均輝度の算出は、例えば、相加平均を用いることが挙げられるが、上記に限られず、例えば、相乗平均や加重平均を用いて算出することもできる。
【００９６】
映像信号処理装置１００は、ステップＳ１００において算出された分割領域ごとの平均輝度に基づいて補正中心位置を設定する（Ｓ１０２）。映像信号処理装置１００は、ステップＳ１０２において、例えば、平均輝度が最も高い分割領域の中心点を補正中心位置として設定することができる。また、平均輝度が最も高い分割領域が複数存在する場合には、映像信号処理装置１００は、例えば、予め設定された予設定位置を補正中心位置として設定することができる。ここで、上記予設定位置としては、例えば、映像信号に対応する画像を表示する表示画面のメカセンタの位置が挙げられるが、上記に限られない。
【００９７】
映像信号処理装置１００は、ステップＳ１０２において設定された補正中心位置に基づいて、映像信号が示す画像を表示画面に表示させる場合における表示画面の表示位置に応じた補正値を設定する（Ｓ１０４）。ここで、ステップＳ１０４における補正値の設定は、例えば、上述した第１〜第５の補正値設定方法を用いて行うことができる。
【００９８】
ステップＳ１０４において設定された補正値に基づいて、映像信号処理装置１００は入力された映像信号のゲインを調整する（Ｓ１０６）。ここで、ステップＳ１０４では、補正中心位置を基点として、表示画面の端部へ向かってゲインを減衰させるような補正値が設定されるので、ステップＳ１０６において調整される映像信号は、表示画面の端部に対応する映像信号ほどゲインが減衰したものとなる。
【００９９】
以上のように、本発明の実施形態に係る映像信号処理方法は、入力される映像信号に基づいて分割領域ごとの平均輝度を算出し、算出した分割領域ごとの平均輝度に基づいて補正中心位置を設定する。そして、設定した補正中心位置を基点として表示画面の表示位置に応じた補正値を設定して、設定した補正値に基づいて入力される映像信号のゲインを調整する。よって、本発明の実施形態に係る映像信号処理方法を用いることにより、映像信号処理装置１００は、平均輝度が最も高い分割領域（すなわち、重要な情報が存在する可能性が高い領域）の輝度を最も高く設定し、補正中心位置を基点として表示画面の画面端部へ向かって輝度が下がるように映像信号のゲインを補正することができるので、映像信号処理装置１００が補正した映像信号が示す映像（または画像）を表示画面に表示した場合には、図１（ｂ）に示すような従来の表示装置における問題の発生を防止することができる。
【０１００】
したがって、本発明の実施形態に係る映像信号処理方法は、表示画面に表示した場合に消費電力を抑えながら高画質化を図ることができるように、映像信号の輝度を制御することができる。
【０１０１】
（実施形態に係る表示装置）
次に、本発明の実施形態に係る映像信号処理装置を適用した表示装置について説明する。
【０１０２】
図１０は、本発明の実施形態に係る表示装置２００を示すブロック図である。なお、図１０に示す表示装置２００は、本発明の実施形態に係る表示装置の一実施形態であり、本発明の実施形態が図１０の構成に限定されるものではないことは、言うまでもない。また、以下では、表示装置２００に入力される映像信号が、例えば、デジタル放送などで用いられるデジタル信号であるとして説明するが、上記に限られず、例えば、アナログ放送などで用いられるアナログ信号とすることもできる。
【０１０３】
図１０を参照すると、表示装置２００は、映像信号補正部２０２と、映像表示部２０４とを備えることができる。
【０１０４】
また、表示装置２００は、例えば、ＭＰＵなどで構成され表示装置２００全体を制御することが可能な表示装置制御部（図示せず）や、表示装置制御部が使用するプログラムや演算パラメータなどの制御用データが記録されたＲＯＭ（図示せず）、表示装置制御部により実行されるプログラムなどを一次記憶するＲＡＭ（図示せず）、映像信号補正部２０２において映像信号の補正に用いられるデータなどを記憶可能な表示装置記憶部（図示せず）、ユーザが操作可能な表示装置操作部（図示せず）、放送局などから送信される映像信号を受信する受信部（図示せず）などを備えてもよい。表示装置２００は、例えば、データの伝送路としてのバスにより上記各構成要素間を接続することができる。ここで、表示装置記憶部（図示せず）としては、例えば、ハードディスクなどの磁気記録媒体や、フラッシュメモリなどの不揮発性メモリが挙げられるが、上記に限られない。また、表示装置操作部としては、例えば、キーボードやマウスなどの操作入力デバイスや、ボタン、方向キー、あるいは、これらの組み合わせなどが挙げられるが、上記に限られない。
【０１０５】
映像信号補正部２０２は、例えば、図３に示す本発明の実施形態に係る映像信号処理装置１００と同様の構成を有する。したがって、映像信号補正部２０２は、入力される映像信号に基づいて分割領域ごとの平均輝度を算出して表示画面の表示位置に応じた補正値を設定し、映像信号のゲインを補正することができる。
【０１０６】
映像表示部２０４は、映像信号補正部２０２において補正された映像信号に基づいて、映像を表示することができる。
【０１０７】
[映像表示部２０４の構成例]
映像表示部２０４は、表示部２０６と、行駆動部２０８と、列駆動部２１０と、電源供給部２１２と、表示制御部２１４とを備えることができる。
【０１０８】
表示部２０６は、行列状に配置された複数の画素を備えることができる。例えば、ＳＤ（Standard  Definition）解像度の映像を表示する表示部は、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。
【０１０９】
また、表示部２０６は、例えば、画素ごとに印加する電圧量／電流量を制御するための画素回路（図示せず）を備えていてもよい。画素回路は、例えば、印加される走査信号および電圧信号により電流量を制御するためのスイッチ素子およびドライブ素子と、電圧信号を保持するためのキャパシタで構成される。上記スイッチ素子および上記ドライブ素子は、例えば、薄膜トランジスタ（Thin  Film  Transistor）で構成される。
【０１１０】
行駆動部２０８、および列駆動部２１０は、表示部２０６が有する複数の画素に電圧信号を印加して各画素を発光させることができる。ここで、行駆動部２０８、および列駆動部２１０は、一方が画素のＯＮ／ＯＦＦを決定する電圧信号（走査信号）を印加し、他方が表示させる映像に応じた電圧信号（映像信号）を印加する役割を果たす。
【０１１１】
また、行駆動部２０８、および列駆動部２１０の駆動方式としては、例えば、上記行列状に配置された画素ごとに発光させる点順次駆動走査方式、上記行列状に配置された画素を一列ごとに発光させる線順次駆動走査方式、そして、上記行列状に配置された全ての画素を発光させる面順次駆動走査方式などが挙げられる。なお、図１０に示す表示装置２００の映像表示部２０４は、行駆動部２０８と列駆動部２１０との２つの駆動部を備えているが、本発明の実施形態に係る表示装置が１つの駆動部で構成できることは、言うまでもない。
【０１１２】
電源供給部２１２は、行駆動部２０８および列駆動部２１０に電源を供給し、行駆動部２０８および列駆動部２１０には電圧が印加される。また、電源供給部２１２が、行駆動部２０８および列駆動部２１０に印加する電圧の大きさは、映像信号補正部２０２により補正された映像信号に応じて可変する。
【０１１３】
表示制御部２１４は、例えば、ＭＰＵなどで構成され、映像信号補正部２０２により補正された映像信号に応じて、行駆動部２０８および列駆動部２１０の一方に画素のＯＮ／ＯＦＦを決定する電圧を画素に印加するための制御信号を入力し、また、他方に映像信号を入力することができる。また、表示制御部２１４は、映像信号補正部２０２により補正された映像信号に応じて、電源供給部２１２による行駆動部２０８および列駆動部２１０への電源の供給を制御することもできる。
【０１１４】
本発明の実施形態に係る表示装置２００は、図１０に示すような構成を有することにより、入力される映像信号を補正し、当該補正された映像信号に基づいて映像を表示することができる。
【０１１５】
以上のように、本発明の実施形態に係る表示装置２００は、映像信号補正部２０２を備え、本発明の実施形態に係る映像信号処理装置と同様に、入力される映像信号に基づいて分割領域ごとの平均輝度を算出し、算出した分割領域ごとの平均輝度に基づいて平均輝度が最も高い分割領域の中心点を補正中心位置を設定する（原則処理）。また、表示装置２００は、設定した補正中心位置を基点として表示画面の画面端部へ向かって映像信号のゲインを減衰させる補正値を設定する。そして、表示装置２００は、設定された表示画面の表示位置に応じた補正値を、入力された映像信号に乗算することによって、映像信号のゲインを補正する（減衰させる）。したがって、表示装置２００は、平均輝度が最も高い分割領域（すなわち、重要な情報が存在する可能性が高い領域）の輝度を最も高く設定し、補正中心位置を基点として表示画面の画面端部へ向かって輝度が下がるように映像信号のゲインを補正することができる。
【０１１６】
また、表示装置２００は、映像表示部２０４を備え、映像信号補正部２０２により補正された映像信号が示す映像（または画像）を表示することができる。ここで、映像信号補正部２０２は、補正中心位置を基点として表示画面（映像表示部２０４の表示部２０６）の端部へ向かってゲインを減衰させるように映像信号を補正することができる。よって、表示装置２００は、映像信号補正部２０２が補正した映像信号が示す映像（または画像）を表示画面に表示した場合には、図１（ｂ）に示すような従来の表示装置における問題の発生を防止することができる。
【０１１７】
したがって、表示装置２００は、入力される映像信号に基づいて映像信号の輝度を制御することによって、表示画面に表示した場合に消費電力を抑えながら高画質化を図ることができる。
【０１１８】
また表示装置２００は、本発明の実施形態に係る映像信号処理装置と同様に、設定した補正中心位置の予め規定された基準位置に対するずれ量に応じて、映像信号のゲインの減衰率を適宜変更することができる。したがって、表示装置２００は、より高画質化が図れるように、映像信号の輝度を制御することができる。
【０１１９】
さらに、表示装置２００は、表示画面に表示した場合における輝度の急激な変化による画質の低下を防止するために、段階的に補正値を変化させることもできる。したがって、表示装置２００は、より高画質化が図れるように、映像信号の輝度を制御することができる。
【０１２０】
また、本発明の実施形態では、表示装置２００を挙げて説明したが、本発明の実施形態は、係る形態に限られず、例えば、ＰＤＰ、ＯＬＥＤディスプレイ、ＦＥＤなどの自発光型の多様な表示装置に適用することができる。また、本発明の実施形態は、テレビジョン（Television）放送を受信する受信装置に適用することができる。
【０１２１】
（表示装置２００に係るプログラム）
本発明の実施形態に係る表示装置２００をコンピュータとして機能させるためのプログラムによって、入力される映像信号に基づいて映像信号の輝度を制御することによって、表示画面に表示した場合に消費電力を抑えながら高画質化を図ることができる。
【０１２２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２３】
例えば、図３に示す本発明の実施形態に係る映像信号処理装置１００および図１０に示す表示装置２００では、入力される映像信号がデジタル信号であるとして説明したが、かかる形態に限られない。例えば、本発明の実施形態に係る映像信号処理装置および本発明の実施形態に係る表示装置が、例えば、Ａ／Ｄコンバータ（Analog  to  Digital  converter）をそれぞれ備え、入力されるアナログ信号（映像信号）をデジタル信号に変換して、当該変換後の映像信号を処理してもよい。また、本発明の実施形態に係る映像信号処理装置および本発明の実施形態に係る表示装置は、例えば、各構成要素をアナログ回路で構成することにより、アナログ信号（映像信号）を処理することもできる。
【０１２４】
また、図１０に示す本発明の実施形態に係る表示装置２００は、映像信号補正部２０２と、映像表示部２０４とを備えているが、かかる形態に限られず、例えば、映像信号補正部２０２と、映像表示部２０４が備える表示制御部２１４とを一体とすることもできる。かかる構成であっても、表示制御部が入力された映像信号を補正し、補正した映像信号に基づいて、列駆動部、行駆動部、電源供給部などを制御することができるので、上記の本発明の実施形態に係る表示装置２００と同様に補正された映像信号に基づいて映像を表示することができる。
【０１２５】
上述した構成は、当業者が容易に変更し得る程度のことであり、本発明の等価範囲に属するものと理解すべきである。
【図面の簡単な説明】
【０１２６】
【図１】従来の表示装置における問題を説明するための説明図である。
【図２】本発明の実施形態に係る映像信号処理装置における処理の概要を説明するための説明図である。
【図３】本発明の実施形態に係る映像信号処理装置の一例を示すブロック図である。
【図４】本発明の実施形態に係る補正値設定部における第１の補正値設定方法を説明するための説明図である。
【図５】本発明の実施形態に係る補正値設定部における第２の補正値設定方法を説明するための説明図である。
【図６】本発明の実施形態に係る補正値設定部における第３の補正値設定方法を説明するための説明図である。
【図７】本発明の実施形態に係る補正値設定部における第４の補正値設定方法が対象とする問題を説明するための説明図である。
【図８】本発明の実施形態に係る補正値設定部における第４の補正値設定方法を説明するための説明図である。
【図９】本発明の実施形態に係る映像信号処理方法の一例を示す流れ図である。
【図１０】本発明の実施形態に係る表示装置の一例を示すブロック図である。
【符号の説明】
【０１２７】
１００    映像信号処理装置
１０２    平均輝度算出部
１０４    補正中心設定部
１０６    補正値設定部
１０８    ゲイン調整部
２００    表示装置
２０２    映像信号補正部
２０４    映像表示部
【図１】
0005147311.tif 000002
【図２】
0005147311.tif 000003
【図３】
0005147311.tif 000004
【図４】
0005147311.tif 000005
【図５】
0005147311.tif 000006
【図６】
0005147311.tif 000007
【図７】
0005147311.tif 000008
【図８】
0005147311.tif 000009
【図９】
0005147311.tif 000010
【図１０】
0005147311.tif 000011